(57)【要約】【課題】風呂追い焚き時に、貯湯タンクが湯切れにならない給湯装置を実現する。【解決手段】貯湯タンク１１と、複数の残湯湯温検出手段２８、２９、３０と、加熱手段１４と、貯湯タンク１１の外部に設けた追い焚き熱交換器２２と、追い焚き熱交換器の一次側温度を検出する高温湯温検出手段２５と、追い焚き熱交換器の二次側温度を検出する浴槽湯温検出手段２７と、風呂温度を設定する設定手段２０と、風呂設定温度と風呂湯温より所定の演算式を用いて追い焚き必要熱量を演算する第１演算部３１と、残湯温度より所定の演算式を用いて各残湯位置における残湯熱量を演算する第２演算部３１とを備え、風呂追い焚き時に前記第１演算部３１で求めた追い焚き必要熱量と前記第２演算部３１で求めた残湯熱量に基づき加熱手段による追加沸き上げ時間を求めるようにしたものである。【選択図】図１
2005140441.tif 000002
【特許請求の範囲】
【請求項１】
貯湯タンクと、貯湯タンク表面に設けた複数の残湯湯温検出手段と、貯湯タンク下部から上部へ循環しながら加熱していく加熱手段と、貯湯タンク上部から下部へ循環しながら浴槽水と熱交換する追い焚き熱交換器と、前記追い焚き熱交換器の一次側を流れる循環水の温度を検出する高温湯温検出手段と、前記追い焚き熱交換器の二次側を流れる浴槽水の入口温度及び熱交換後の出口温度を検出する浴槽湯温検出手段及び高温浴槽湯温検出手段と、風呂温度を設定する設定手段と、前記設定手段で設定した風呂設定温度と前記浴槽湯温検出手段で検出した風呂湯温より所定の演算式を用いて追い焚き必要熱量を演算する第１演算部と、前記残湯湯温検出手段で検出した残湯温度より所定の演算式を用いて各残湯位置における残湯熱量を演算する第２演算部とを備え、風呂追い焚き時に前記第１演算部で求めた追い焚き必要熱量と前記第２演算部で求めた残湯熱量に基づき加熱手段による追加沸き上げ時間を求めるようにした給湯装置。
【請求項２】
追加沸き上げ時間を求めるとき、残湯熱量は上方に設けた残湯湯温検出手段から順番に第２演算部を用いて求め、追い焚き必要熱量と比較するようにした請求項１記載の給湯装置。
【請求項３】
風呂追い焚き時に最上位に設けた残湯湯温検出手段で検出した温度が所定温度以下の場合、追い焚き動作を停止し、予め定めた位置の残湯湯温検出手段が所定の温度を検出したとき、追い焚き動作を開始するようにした請求項１記載の給湯装置。
【請求項４】
追い焚き熱交換器の二次側に合流する風呂湯張り回路に累積流量検出手段を設け、追い焚き必要熱量を求める時、前記累積流量検出手段で検出した風呂湯量に基づき第１演算部を用いて演算するようにした請求項１または２記載の給湯装置。
【請求項５】
風呂追い焚き時の加熱手段による加熱湯温を最高設定で運転するようにした請求項１〜４のいずれか１項記載の給湯装置。
【請求項６】
時刻機能および累積時刻カウンターを備え、前記累積時刻カウンターにて検出した過去の特定期間の風呂追い焚き時間を翌日の夜間時間帯に行う沸き上げ運転の時間に反映するようにした請求項１〜５のいずれか１項記載の給湯装置。
【発明の詳細な説明】
【技術分野】
【０００１】
本発明は、風呂追い焚き機能を有する貯湯式給湯器の湯切れ防止シーケンスに関するものである。
【背景技術】
【０００２】
従来のこの種の給湯装置は、貯湯タンク上部と下部にヒータを設け、上部ヒータの上方にタンク内の高温水と熱交換するための追い焚き熱交換器を内蔵し、この追い焚き熱交換器に浴槽水を循環させることで風呂の追い焚きを行うようにしたものにおいて、浴槽水循環中は上部ヒータに通電を行うようにしたものや、熱交換する前の貯湯タンク上部の湯温を検知しておき、熱交換後に上部ヒータに通電して貯湯タンク上部の湯温を元の温度に戻すようにしたものや、追い焚き熱交換器で熱交換した熱量分だけヒータに通電して貯湯水を加熱するようにしたものがあった（例えば、特許文献１参照）。
【０００３】
図８は、前記公報に記載された従来の給湯装置を示すものである。図８に示すように、貯湯タンク１内に構成した風呂追い焚き熱交換器２により、風呂追い焚きを行ない、貯湯タンク１内の湯温は、残湯サーミスタ３で検出している。残湯サーミスタ３の湯温が６０℃を下回ると、加熱装置４(ヒートポンプ)が運転され、７０℃まで沸き上げる。風呂追い焚き時は、貯湯タンク１の高温湯と風呂ポンプ５で循環された風呂湯を熱交換し、風呂湯温を上昇させる。貯湯タンク１の湯温は、風呂追い焚きに関係なく、残湯サーミスタ３の検出温度で、沸き上げるかを判断する構成としている。
【特許文献１】特開平１１−８３１５６号公報
【発明の開示】
【発明が解決しようとする課題】
【０００４】
しかしながら上記従来の給湯装置では、風呂追い焚き開始時に、貯湯タンク内の残湯量が少ない場合、あるいは湯温が低い場合において、風呂追い焚き中に貯湯タンク内の追い焚きに使用可能な残湯がなくなるという課題があり、また、風呂追い焚き中にヒータに通電して加熱動作を行うものにあっては、貯湯タンク内に追い焚きに必要な残湯量が十分残っている場合でも加熱動作を行うため無駄な沸き上げを行うことになる。
【０００５】
さらに、従来の給湯装置では、貯湯タンク内に熱交換器を内蔵しているため、風呂追い焚き時に浴槽水を循環すると熱交換により自然対流が発生し、貯湯タンク内の湯温が全体的に低下してしまい、高温水を確保しておくことができないという課題がある。
【０００６】
本発明は上記課題を解決するもので、貯湯タンク内に上部から順に積層状態で高温水を貯湯する構成とし、かつ浴槽水との熱交換を貯湯タンク上部から高温水を取り出し、追い焚き熱交換器を介して貯湯タンク下部に戻す外部熱交換方式を採用した給湯装置であって、風呂追い焚き開始時に、追い焚きに必要な熱量を基準に、あらかじめ貯湯タンク内の残湯量が不足すると判断した場合は、貯湯タンクに必要な湯量を確保するため、貯湯タンク内を沸き上げ、風呂追い焚き時に湯切れを起こさないようにした給湯装置を提供することを目的とする。
【課題を解決するための手段】
【０００７】
前記従来の課題を解決するために、本発明の給湯装置は、貯湯タンクと、貯湯タンク表面に設けた複数の残湯湯温検出手段と、貯湯タンク下部から上部へ循環しながら加熱していく加熱手段と、貯湯タンク上部から下部へ循環しながら浴槽水と熱交換する追い焚き熱交換器と、前記追い焚き熱交換器の一次側を流れる循環水の温度を検出する高温湯温検出手段と、前記追い焚き熱交換器の二次側を流れる浴槽水の入口温度及び熱交換後の出口温度を検出する浴槽湯温検出手段及び高温浴槽湯温検出手段と、風呂温度を設定する設定手段と、前記設定手段で設定した風呂設定温度と前記浴槽湯温検出手段で検出した風呂湯温より所定の演算式を用いて追い焚き必要熱量を演算する第１演算部と、前記残湯湯温検出手段で検出した残湯温度より所定の演算式を用いて各残湯位置における残湯熱量を演算する第２演算部とを備え、風呂追い焚き時に前記第１演算部で求めた追い焚き必要熱量と前記第２演算部で求めた残湯熱量に基づき加熱手段による追加沸き上げ時間を求めるようにしたものである。
【０００８】
これによって、第１演算部で求めた追い焚きに必要な熱量を基準に、第２演算部で求めた貯湯タンクの各残湯位置における残湯熱量と順次比較し、貯湯タンク内の残湯熱量が不足する場合は、追い焚きに必要な熱量だけ選択して貯湯タンク内の残湯熱量を確保することができるため、無駄な沸き上げをすることなく、湯切れのない追い焚き運転を実現できる。
【発明の効果】
【０００９】
本発明の給湯装置は、高温水を上部から順次積層状態で貯湯してある貯湯タンクの上方から高温水を取り出し追い焚き熱交換器を介して熱交換後の湯を貯湯タンク下部に戻す循環回路により風呂追い焚き運転を行っているため、追い焚き運転は常に貯湯タンクから供給される高温水と浴槽水が熱交換されることになり、短時間で所望の温度に追い焚きすることができ、さらに追い焚き中あるいは追い焚き後に給湯運転の要求があった場合でも、貯湯タンク上部に残った高温水を用いて所望の温度の給湯を行うことができる。
【００１０】
また、貯湯タンクの残湯量が少ない場合は、予め求めた追い焚きに必要な熱量を基準に、各残湯位置で求めた残湯熱量と比較して、適正な残湯熱量を確保するように追加沸き上げ時間を求めるようにしているため、無駄な沸き上げをすることなく、かつ湯切れのない追い焚き運転を実現できる。
【発明を実施するための最良の形態】
【００１１】
第１の発明は、貯湯タンクと、貯湯タンク表面に設けた複数の残湯湯温検出手段と、貯湯タンク下部から上部へ循環しながら加熱していく加熱手段と、貯湯タンク上部から下部へ循環しながら浴槽水と熱交換する追い焚き熱交換器と、前記追い焚き熱交換器の一次側を流れる循環水の温度を検出する高温湯温検出手段と、前記追い焚き熱交換器の二次側を流れる浴槽水の入口温度及び熱交換後の出口温度を検出する浴槽湯温検出手段及び高温浴槽湯温検出手段と、風呂温度を設定する設定手段と、前記設定手段で設定した風呂設定温度と前記浴槽湯温検出手段で検出した風呂湯温より所定の演算式を用いて追い焚き必要熱量を演算する第１演算部と、前記残湯湯温検出手段で検出した残湯温度より所定の演算式を用いて各残湯位置における残湯熱量を演算する第２演算部とを備え、風呂追い焚き時に前記第１演算部で求めた追い焚き必要熱量と前記第２演算部で求めた残湯熱量に基づき加熱手段による追加沸き上げ時間を求めるようにしたことを特徴とするもので、第１演算部で求めた追い焚きに必要な熱量を基準に、第２演算部で求めた貯湯タンクの各残湯位置における残湯熱量と順次比較し、貯湯タンク内の残湯熱量が不足する場合は、追い焚きに必要な熱量だけ選択して貯湯タンク内の残湯熱量を確保することができるため、無駄な沸き上げをすることなく、湯切れのない追い焚き運転を実現できる。
【００１２】
第２の発明は、追加沸き上げ時間を求めるとき、残湯熱量は上方に設けた残湯湯温検出手段から順番に第２演算部を用いて求め、追い焚き必要熱量と比較するようにしたことを特徴とするもので、貯湯タンクの残湯熱量をタンク表面に取り付けた複数の残湯湯温検出手段毎に所定の演算式を用いて求め、上部の残湯熱量から順次追い焚き必要熱量と比較することで、追い焚きに必要な適正な残湯熱量を求めることができ、その残湯熱量を確保するための時間だけ追加沸き上げを行うことで、無駄な沸き上げをすることなく、湯切れのない追い焚き運転を実現できる。
【００１３】
第３の発明は、風呂追い焚き時に最上位に設けた残湯湯温検出手段で検出した温度が所定温度以下の場合、追い焚き動作を停止し、予め定めた位置の残湯湯温検出手段が所定の温度を検出したとき、追い焚き動作を開始するようにしたことを特徴とするもので、貯湯タンク上部に追い焚きに使用可能な温度の湯が残っていない場合は、追い焚き運転の指示があっても追い焚き動作を行わず、まず貯湯タンクの追加沸き上げ運転を行い、この沸き上げ運転により所定の残湯湯温検出手段が追い焚き運転可能な温度を検出したとき追い焚き動作を開始するようにしたもので、無駄な追い焚き運転を回避し、効果的な追い焚き動作を確保することができる。
【００１４】
第４の発明は、追い焚き熱交換器の二次側に合流する風呂湯張り回路に累積流量検出手段を設け、追い焚き必要熱量を求める時、前記累積流量検出手段で検出した風呂湯量に基づき第１演算部を用いて演算するようにしたことを特徴とするものであり、追い焚き動作時における貯湯タンクの追加沸き上げ動作の有無を判断する基準となる追い焚き必要熱量を正確に求めることができ、より精度の高い残湯熱量を求めることで、無駄な沸き上げをすることなく、湯切れのない追い焚き運転を実現できる。
【００１５】
第５の発明は、風呂追い焚き時の加熱手段による加熱湯温を最高設定で運転するようにしたことを特徴とするもので、より高温の残湯量を確保することで、追い焚き時間の短縮を図るとともに、極力少ない残湯量とすることで、効率的な沸き上げ動作を確保することができる。
【００１６】
第６の発明は、時刻機能および累積時刻カウンターを備え、前記累積時刻カウンターにて検出した過去の特定期間の風呂追い焚き時間を翌日の夜間時間帯に行う沸き上げ運転の時間に反映するようにしたことを特徴とするもので、累積時刻カウンターにより昼間時間帯に行われる追い焚き運転時の追加沸き上げ時間を検出し、この検出時間を学習制御により料金の安い夜間時間帯に行われる通常沸き上げ運転に反映することで、使用実態に即したタンク熱量を保有することができ、昼間時間帯に行われる追い焚き運転時の追加沸き上げ動作を抑制し、効率的な沸き上げ動作を確保することができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における給湯装置のシステム構成図である。
【００１９】
図１において、給湯装置は、貯湯タンクユニット１０と、加熱手段としてヒートポンプユニットを用いた熱源部１４で構成され、前記貯湯タンクユニット１０と熱源部１４が配管接続されている。
【００２０】
貯湯タンクユニット１０は、貯湯タンク１１と、その下部の取水口１２ａから沸き上げポンプ１３を経由して前記熱源部１４に配管接続し、熱源部１４から貯湯タンク１１の上部供給口１２ｂに接続した沸き上げ循環路を形成している。また、貯湯タンク１１への給水は減圧弁１５を経由した後、タンク下部の給水口１２ｃより供給される。
【００２１】
そして、貯湯タンク１１の高温水供給回路としては、上部出湯口１２ｄより給湯混合弁１６ａを経由してカラン等に供給する給湯回路と、風呂混合弁１６ｂを経由し注湯電磁弁１７、流量センサ３２を通って風呂１８に供給する注湯回路と、前記出湯口１２ｄとは別に設けた高温湯取出口２３から風呂追い焚き熱交換器２２の一次側経路を通って追い焚きポンプ２４によりタンク下部の戻り口１２ｅに接続した追い焚き循環回路を形成している。
【００２２】
また、浴槽水と熱交換する追い焚き熱交換器２２の二次側経路は、風呂１８から風呂循環ポンプ２６を経由して前記注湯回路と合流した後、前記追い焚き熱交換器２２の二次側経路を通って風呂１８に戻る風呂循環回路を形成している。
【００２３】
そして、貯湯タンク１１の表面には高さ方向適所に複数の残湯サーミスタを配設し、残湯湯温検出手段を形成している。前記残湯サーミスタは、貯湯タンク１１の上部に第１残湯サーミスタ３０、その下方に順次、第２残湯サーミスタ２９、第３残湯サーミスタ２８、第４残湯サーミスタ３３、第５残湯サーミスタ３４を取り付けている。
【００２４】
また、前記追い焚き循環回路を流れる循環水の温度を検出する高温湯温検出手段として、前記追い焚き熱交換器２２の一次側出口に高温湯サーミスタ２５を配設し、前記風呂循環回路を流れる浴槽水温度を検出する浴槽湯温検出手段及び高温浴槽湯温検出手段として、風呂サーミスタ２７及び追い焚きサーミスタ１９を配設している。
【００２５】
また、風呂温度の設定は風呂リモコン２０で行い、その情報を制御器２１に送って熱源部１４を含む各種負荷を制御して所定の動作を行うようにしている。
【００２６】
以上のように構成された給湯装置において、まず貯湯タンク１１の沸き上げ動作は、風呂リモコン２０で運転指示が行われると、貯湯タンク１１内の湯水が取水口１２ａから沸き上げポンプ１３により熱源部１４に供給される。熱源部１４では所定のシーケンスに基づいてヒートポンプサイクルが駆動し冷媒（例えば、ＣＯ2冷媒）を加熱して貯湯タンク１１より供給された湯水と熱交換し所定の温度に昇温した後、タンク上部の供給口１２ｂより貯湯タンク１１内に上部から積層状態で貯めていく。この循環を繰り返すことで貯湯タンク１１内の湯水は上部から順次高温状態で貯められていくことになる。この沸き上げ動作は通常ＰＭ２３：００〜ＡＭ７：００の夜間時間帯に供給される深夜電力により貯湯タンク１１の全量を設定温度まで沸き上げる方法が一般的であるが、近年は時間帯別料金制度が導入されているため、昼間時間帯でも沸き上げ動作が可能であり、夜間に全量沸き上げなくても必要分だけ沸き上げ、突発的に発生する不足分は昼間時間帯に沸き上げるという使い方も行われるようになっている。本発明はどちらかというと後者の使い方において、風呂追い焚き時に発生する沸き上げ湯量の不足分を補う追加沸き上げ動作時の効率的な運転を行うことに関するものである。
【００２７】
なお、上記沸き上げ動作において、加熱温度の調整は沸き上げポンプ１３を制御し流量を調節することで行うようにしている。
【００２８】
次ぎに、風呂湯張り動作は、貯湯タンク１１の上部出湯口１２ｄからの高温水と減圧弁１５を経由して供給される水が風呂混合弁１６ｂで混合され、注湯電磁弁１７を開状態とすることで流量センサー３２により湯張り量を検出しながら風呂１８へ供給される。この時の湯張り温度は追い焚きサーミスタ１９で検出した温度を制御器２１に入力することで風呂混合弁１６ｂを制御し所定の温度になるように調節している。
【００２９】
また、風呂追い焚きの基本動作は、追い焚きポンプ２４を駆動し、貯湯タンク１１の上部に設けた高温湯取出口２３から追い焚き熱交換器２２の一次側経路に貯湯タンク１１の上部高温水を順次供給し、熱交換後の湯水をタンク下部の戻り口１２ｅに戻す。同時に風呂ポンプ２６を駆動し、風呂１８の浴槽水を追い焚き熱交換器２２の二次側経路に流す。この追い焚き熱交換器２２の一次側及び二次側の循環動作を繰り返すことで、高温水と浴槽水を熱交換して風呂追い焚き動作を行う。
【００３０】
次に、上記風呂追い焚き動作を図２、図３、図４のフローチャートを用いて詳細に説明する。図２は追い焚き動作時に追加沸き上げを行う場合の沸き上げ時間を演算する動作フローチャートで、図３は沸き上げ時間演算後加熱動作を行うステップを追加した動作フローチャートで、図４は風呂湯張り量から追い焚きに必要な熱量を演算する方法を用いた場合の動作フローチャートである。
【００３１】
風呂リモコン２０により追い焚き動作の指示がなされると、まずタンク上部に取り付けた第１残湯サーミスタ３０が検出する温度ｔＴＫを確認し、この温度が予め定めた値（例えば、６０℃）以上か否かを判定し、以上の場合は追い焚き動作を開始し、以下の場合は追い焚き動作を停止してタンクの沸き上げ動作を行う。そして、沸き上げ動作によりタンク１１に高温水が貯まり予め定めた残湯サーミスタ、例えば、第２残湯サーミスタ２８が所定の温度を検出すると追い焚き動作を開始するようにしている。
【００３２】
追い焚き動作を開始すると、まず風呂側の追い焚きに必要な熱量を（数１）を用いて演算する。
【数１】
2005140441.tif 000003
ここで、ＱＰ：風呂循環流量、ｔＦＳ：風呂設定温度、ｔＦＪ：風呂サーミスタ２７の検出温度である。ただし、風呂循環流量を検出するセンサを設けない場合は固定値を用いて演算する。
【００３３】
次に、貯湯タンク１１の各残湯温度検出位置、例えば、第２残湯サーミスタ２８における残湯熱量を（数２）を用いて演算する。
【数２】
2005140441.tif 000004
ここで、ＱＴＢ：高温湯取出口から第２残湯サーミスタ２８間の貯湯量、ｔＴＫ：高温湯サーミスタ２５の検出温度、ｔＺＢ：第２残湯サーミスタ２８の検出温度である。
【００３４】
次に、上記演算により求めた追い焚き必要熱量と第２残湯サーミスタ２８における残湯熱量を比較するため、前記各熱量比が１以上か否かを判定し、１以下の場合、すなわち残湯熱量が追い焚き必要熱量より大きい場合は、そのまま追い焚き動作を継続しタンクの追加沸き上げは行わない。そして、１以上の場合、すなわち残湯熱量が不足すると判定した場合は、次に、第３残湯サーミスタ２９における残湯熱量を上記（数２）を用いて同様に演算し、追い焚き必要熱量と比較す
る。そして、比較結果が１以下の場合は（数３）を用いて追加沸き上げ時間ＴＫ
を演算し、比較結果が１以上の場合は（数４）を用いて追加沸き上げ時間ＴＫを
演算する。
【数３】
2005140441.tif 000005
【数４】
2005140441.tif 000006
上記演算により追加沸き上げ時間が求まると、追い焚き動作を行いながら所定の残湯熱量を確保すべく沸き上げ動作を行う。上記演算式では、風呂追い焚き中に湯切れせず、安価に運転できるように、沸き上げ温度として６０℃を設定したが、図５のフローチャートに示すように、設定温度として最高温度、例えば９０℃を設定してもよく、温度を高く設定すると沸き上げ時間は多少長くなるが、沸き上げ湯量は少なくてすみ、かつ追い焚き時間が短縮できるという効果を奏することができる。
【００３５】
さらに、図６のフローチャートに示すように、追い焚き中の追加沸き上げ時に高温湯サーミスタ２５が所定の温度（追い焚きに必要な最低温度、例えば、６０℃）を下回ると、追い焚き動作を停止し、所定の沸き上げ動作を行った後、再度追い焚き動作を開始するようにすれば、追加沸き上げ動作時に給湯側で大量に湯を使用された場合の風呂追い焚き運転による湯冷め防止し、効率的な運転が可能となる。
【００３６】
図７は、別の動作フローチャートで、貯湯タンク１１の加熱時間を特定期間（例えば、１週間）蓄積し、最大昼間加熱時間を翌日の夜間加熱時間に加えるようにしたものである。
【００３７】
上記した追加沸き上げ動作は、風呂追い焚き時に湯切れしないように、貯湯タンク１１の加熱を行なうようにしたが、ランニングコストの面からは、昼間よりも夜間に加熱させたほうがメリットは大きい。そこで、過去の特定期間の最大昼間加熱時間分は、翌日の夜間に沸き上げるようにすることで、ランニングコストの低減を図ったものである。
【産業上の利用可能性】
【００３８】
以上のように、本発明に係る給湯装置は、追い焚き運転は常に貯湯タンクから供給される高温水と浴槽水が熱交換されることになり、短時間で所望の温度に追い焚きすることができ、さらに追い焚き中あるいは追い焚き後に給湯運転の要求があった場合でも、貯湯タンク上部に残った高温水を用いて所望の温度の給湯を行うことができ、さらに、貯湯タンクの残湯量が少ない場合は、予め求めた追い焚きに必要な熱量を基準に、各残湯位置で求めた残湯熱量と比較して、適正な残湯熱量を確保するように追加沸き上げ時間を求めるようにしているため、無駄な沸き上げをすることなく、かつ湯切れのない追い焚き運転を実現できるため、貯湯式給湯器と外部熱交換器を組み合わせた用途、例えば暖房運転にも適用できる。
【図面の簡単な説明】
【００３９】
【図１】本発明の実施の形態１における給湯装置のシステム構成図
【図２】同給湯装置の動作フローチャート
【図３】同給湯装置の他の動作フローチャート
【図４】同給湯装置の他の動作フローチャート
【図５】同給湯装置の他の動作フローチャート
【図６】同給湯装置の他の動作フローチャート
【図７】同給湯装置の他の動作フローチャート
【図８】従来の給湯装置のシステム構成図
【符号の説明】
【００４０】
１１  貯湯タンク
１９  追い焚きサーミスタ
２０  風呂リモコン（設定手段）
２２  風呂追い焚き熱交換器
２５  高温湯サーミスタ
２７  風呂サーミスタ
２８  第２残湯サーミスタ（残湯湯温検出手段）
２９  第３残湯サーミスタ（残湯湯温検出手段）
３０  第１残湯サーミスタ（残湯湯温検出手段）
３１  演算部（第１、第２演算部）
３３  第４残湯サーミスタ（残湯湯温検出手段）
【図１】
2005140441.tif 000007
【図２】
2005140441.tif 000008
【図３】
2005140441.tif 000009
【図４】
2005140441.tif 000010
【図５】
2005140441.tif 000011
【図６】
2005140441.tif 000012
【図７】
2005140441.tif 000013
【図８】
2005140441.tif 000014